(57)【要約】      （修正有）【課題】蓋部が閉じられた際に、蓋部が閉じられたことを十分に実感できるクリック感を得ることのできるプリンタ装置を提供する。【解決手段】記録紙が設置される記録紙ホルダ１１１が設けられたプリンタ本体部１１０と、前記プリンタ本体部に開閉可能な状態で取り付けられた蓋部１２０と、前記プリンタ本体部または前記蓋部のうちの一方に取り付けられたプラテンローラ１４０と、前記プリンタ本体部または前記蓋部のうちの他方に取り付けられたプリントヘッドと、前記プリンタ本体部または前記蓋部のうちの一方に取り付けられたフック１６０と、前記プリンタ本体部または前記蓋部のうちの他方に取り付けられた引っ掛け部と、を有し、前記フックには、前記引っ掛け部が入り込む凹部１６１が設けられており、前記プリンタ本体部に前記蓋部が閉じられる際に、前記引っ掛け部が前記フックの前記凹部に入るプリンタ装置により上記課題を解決する。【選択図】図７
2017081129.tif 000002
【特許請求の範囲】
【請求項１】
記録紙が設置される記録紙ホルダが設けられたプリンタ本体部と、
前記プリンタ本体部に開閉可能な状態で取り付けられた蓋部と、
前記プリンタ本体部または前記蓋部のうちの一方に取り付けられたプラテンローラと、
前記プリンタ本体部または前記蓋部のうちの他方に取り付けられたプリントヘッドと、
前記プリンタ本体部または前記蓋部のうちの一方に取り付けられたフックと、
前記プリンタ本体部または前記蓋部のうちの他方に取り付けられた引っ掛け部と、
を有し、
前記フックには、前記引っ掛け部が入り込む凹部が設けられており、
前記プリンタ本体部に前記蓋部が閉じられる際に、前記引っ掛け部が前記フックの前記凹部に入ることを特徴とするプリンタ装置。
【請求項２】
前記フックには、前記蓋部が開いた状態において、前記凹部よりも前記引っ掛け部側には傾斜部が形成されており、前記蓋部を閉じる際には、前記引っ掛け部が前記フックの前記傾斜部に接触し、前記引っ掛け部に押されて、前記フックが可動することを特徴とする請求項１に記載のプリンタ装置。
【請求項３】
前記フックには、前記蓋部が開いた状態において、前記凹部よりも前記引っ掛け部側には傾斜部が形成されており、前記蓋部を閉じる際には、前記引っ掛け部が前記フックの前記傾斜部に接触し、前記傾斜部に押されて、前記引っ掛け部が可動することを特徴とする請求項１に記載のプリンタ装置。
【請求項４】
記録紙が設置される記録紙ホルダが設けられたプリンタ本体部と、
前記プリンタ本体部に開閉可能な状態で取り付けられた蓋部と、
前記プリンタ本体部または前記蓋部のうちの一方に取り付けられたプラテンローラと、
前記プリンタ本体部または前記蓋部のうちの他方に取り付けられたプリントヘッドと、
前記プリンタ本体部または前記蓋部のうちの一方に取り付けられたフックと、
前記プリンタ本体部または前記蓋部のうちの他方に取り付けられた引っ掛け部と、
を有し、
前記フックには、前記プリンタ本体部に前記蓋部が閉じられた状態において、前記引っ掛け部が入り込む凹部が設けられており、
前記フックは、前記引っ掛け部が前記フックの前記凹部に入る方向に働く復元力を有しており、
前記プリンタ本体部に前記蓋部が閉じられる際に、前記フックにおける復元力により、前記引っ掛け部が前記フックの前記凹部に入ることを特徴とするプリンタ装置。
【請求項５】
前記フックには、前記蓋部が開いた状態において、前記凹部よりも前記引っ掛け部側には傾斜部が形成されており、前記蓋部を閉じる際には、前記引っ掛け部が前記フックの前記傾斜部に接触し、前記引っ掛け部に押されて、前記フックが撓むことを特徴とする請求項４に記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。プリンタは、記録紙を搬送しながらヘッドにより記録紙に印字等を行ない、記録紙を搬送した後、カッターで記録紙が切断される。カッターは、固定刃と可動刃により構成されており、可動刃が固定刃の側にスライドして動くことにより、可動刃と固定刃の間の記録紙を切断することができる。
【０００３】
プリンタ装置には、プリンタ本体部と、プリンタ本体部に回動可能な状態で支持された蓋部が設けられており、蓋部を開くことによりプリンタ本体部の記録紙ホルダに、ロール状に巻かれた記録紙を入れることができるものがある。
【先行技術文献】
【特許文献】
【０００４】
【特許文献１】特許第２５８５７６９号公報
【特許文献２】特開２００３−２４６１０４号公報
【特許文献３】特開２００９−２８９１０号公報
【特許文献４】特開２００８−１４３００４号公報
【発明の概要】
【発明が解決しようとする課題】
【０００５】
ところで、上述したプリンタ装置は、プリンタ本体部の記録紙ホルダ内に、ロール状に巻かれた記録紙を入れ、蓋を閉じることにより記録紙が設置され印字可能な状態となる。蓋部が閉じられる際には、蓋部に取り付けられたプラテンローラが、プリンタ本体部に取り付けられたプラテンローラを保持するプラテンロックに入り込む際に、プラテンロックが動き、これにより、蓋部が閉じられる際のクリック感が得られる。
【０００６】
ユーザは、このクリック感を感じることにより、蓋部が閉じられたことを認識することができるが、クリック感が弱いと、蓋部が閉じられているかどうか解らない場合がある。
【０００７】
この場合、蓋部が閉じられているにも関わらず、蓋部が閉じられていないと思ったユーザは、蓋部を強く押し続け、蓋部等を変形させたり、破損させてしまうおそれがある。また、ユーザが蓋部が閉じられていると思っても、実際には、蓋部が閉じられていない場合には、記録紙に印字をすることができない。
【０００８】
尚、プラテンロックは、プラテンローラを保持するためのものであり、プラテンローラがプラテンロックに入る際のクリック感はあまり強くはない。しかしながら、プラテンローラがプラテンロックに入る際のクリック感を強くすると、プラテンローラ等に不必要に荷重がかけられ、プラテンローラが変形したり、削れたりすると、プリンタ装置による印字に悪影響を及ぼす場合がある。
【０００９】
このため、蓋部が閉じられた際に、蓋部が閉じられたことを十分に実感できるクリック感を得ることのできるプリンタ装置が求められている。
【課題を解決するための手段】
【００１０】
本実施の形態の一観点によれば、記録紙が設置される記録紙ホルダが設けられたプリンタ本体部と、前記プリンタ本体部に開閉可能な状態で取り付けられた蓋部と、前記プリンタ本体部または前記蓋部のうちの一方に取り付けられたプラテンローラと、前記プリンタ本体部または前記蓋部のうちの他方に取り付けられたプリントヘッドと、前記プリンタ本体部または前記蓋部のうちの一方に取り付けられたフックと、前記プリンタ本体部または前記蓋部のうちの他方に取り付けられた引っ掛け部と、を有し、前記フックには、前記引っ掛け部が入り込む凹部が設けられており、前記プリンタ本体部に前記蓋部が閉じられる際に、前記引っ掛け部が前記フックの前記凹部に入ることを特徴とする。
【発明の効果】
【００１１】
本発明によれば、プリンタ装置の蓋部を閉じた際に、蓋部が閉じられたことを十分に実感できるクリック感を得ることができる。
【図面の簡単な説明】
【００１２】
【図１】プリンタ装置の蓋部を閉じる際に得られるクリック感の説明図（１）
【図２】プリンタ装置の蓋部を閉じる際に得られるクリック感の説明図（２）
【図３】プリンタ装置の蓋部を閉じる際に得られるクリック感の説明図（３）
【図４】プリンタ装置の蓋部を閉じる際に得られるクリック感の説明図（４）
【図５】第１の実施の形態におけるプリンタ装置の構造図（１）
【図６】第１の実施の形態におけるプリンタ装置の構造図（２）
【図７】第１の実施の形態におけるプリンタ装置の構造図（３）
【図８】第１の実施の形態におけるプリンタ装置の説明図（１）
【図９】第１の実施の形態におけるプリンタ装置の説明図（２）
【図１０】第１の実施の形態におけるプリンタ装置の説明図（３）
【図１１】第１の実施の形態における他のプリンタ装置の構造図（１）
【図１２】第１の実施の形態における他のプリンタ装置の構造図（２）
【図１３】第１の実施の形態における他のプリンタ装置の構造図（３）
【図１４】第２の実施の形態におけるプリンタ装置の構造図
【図１５】第２の実施の形態におけるプリンタ装置の説明図（１）
【図１６】第２の実施の形態におけるプリンタ装置の説明図（２）
【図１７】第２の実施の形態におけるプリンタ装置の説明図（３）
【図１８】第３の実施の形態におけるプリンタ装置の構造図
【図１９】第３の実施の形態におけるプリンタ装置の説明図（１）
【図２０】第３の実施の形態におけるプリンタ装置の説明図（２）
【図２１】第３の実施の形態におけるプリンタ装置の説明図（３）
【図２２】第４の実施の形態におけるプリンタ装置の構造図
【図２３】第４の実施の形態におけるプリンタ装置の説明図（１）
【図２４】第４の実施の形態におけるプリンタ装置の説明図（２）
【図２５】第４の実施の形態におけるプリンタ装置の説明図（３）
【図２６】第５の実施の形態におけるプリンタ装置の構造図
【図２７】第５の実施の形態におけるプリンタ装置の説明図（１）
【図２８】第５の実施の形態におけるプリンタ装置の説明図（２）
【発明を実施するための形態】
【００１３】
本発明を実施するための形態について、以下に説明する。尚、同じ部材等については、同一の符号を付して説明を省略する。
【００１４】
最初に、図１に示されるプリンタ装置において、蓋部を閉じることにより得られるクリック感について説明する。このプリンタ装置は、プリンタ本体部１０と、プリンタ本体部１０に取り付けられている蓋部２０とを有している。蓋部２０は、不図示の軸を中心に回動可能な状態でプリンタ本体部１０に取り付けられている。
【００１５】
プリンタ本体部１０には、記録紙ホルダ１１、記録紙に印字を行なうためのプリントヘッドであるサーマルヘッド、後述するプラテンローラ４０を保持するプラテンロック部５０、固定刃、制御回路基板、モータ等が設けられている。記録紙ホルダ１１の内部は、ロール状に巻かれた記録紙を入れることができるように形成されている。蓋部２０には、プラテンローラ４０、可動刃等が設けられている。
【００１６】
プリンタ装置においては、ロール状に巻かれた記録紙をプリンタ本体部１０における記録紙ホルダ１１内に入れ、蓋部２０を閉じることにより記録紙が設置され、サーマルヘッドとプラテンローラ４０との間に記録紙が挟まれた状態で印字がなされる。
【００１７】
このプリンタ装置において、蓋部２０を閉じる際には、図１に示されるように、蓋部２０が開いている状態から、蓋部２０を破線矢印Ａに示す方向に回動させる。尚、プラテンロック部５０は、プラテンローラ４０におけるプラテン軸部４１が入り込む開口部５１と、開口部５１において回転軸５３から離れた側の縁に形成された突起部５２とを有している。プラテンロック部５０は、回転軸５３を中心に回動可能な状態で取り付けられており、プラテンロック部５０を回転軸５３を中心に時計回りに復元力を有する不図示のバネが接続されている。
【００１８】
図２は、蓋部２０が閉じられる直前の状態を示す。蓋部２０が閉じられる直前においては、最初に、図３（ａ）に示されるように、プラテンローラ４０のプラテン軸部４１は、プラテンロック部５０における突起部５２と接触する。図３（ａ）は、図２における一点鎖線２Ａにおいて囲まれた領域の要部の拡大図である。更に、蓋部２０を閉じると、図３（ｂ）に示されるように、プラテン軸部４１により、プラテンロック部５０が押され、プラテンロック部５０は、破線矢印Ｂに示すように、回転軸５３を中心に反時計回りに回動する。この際、プラテン軸部４１は、プラテンロック部５０における突起部５２より開口部５１に向かってプラテンロック部５０の外形に沿って移動する。更に、蓋部２０を閉じると、図３（ｃ）及び図４に示されるように、プラテン軸部４１はプラテンロック部５０の開口部５１の内部に入り込む。プラテンロック部５０は、破線矢印Ｃに示すように、不図示のバネの復元力により、回転軸５３を中心に時計回りに回転し、プラテン軸部４１は、プラテンロック部５０により保持される。このように、プラテンロック部５０が、不図示のバネの復元力により、回転軸５３を中心に時計回りに回転する際に、クリック感が得られ、このクリック感により、ユーザは蓋部２０が閉じられたことを認識することができる。
【００１９】
しかしながら、プラテンロック部５０に接続されているバネは、プラテン軸部４１をプラテンロック部５０により保持する機能のために設けられているため、復元力はあまり強くはなく、得られるクリック感も弱い場合がある。
【００２０】
従って、蓋部２０が閉じられたことをユーザーが確実に認識するためには、クリック感を強くする必要がある。しかしながら、クリック感を強くするために、プラテンロック部５０に接続されているバネの復元力を強くした場合、図３（ｂ）に示すように、回転軸５３を中心にプラテンロック部５０を反時計回りに回動させるためには、プラテンロック部５０の突起部５２をプラテン軸部４１により、強い力で押す必要がある。このように、プラテン軸部４１により強い力で何度も押していると、プラテン軸部４１が変形したり、削れたりして、プリンタ装置の印字性能が低下する場合がある。
【００２１】
従って、プラテン軸部４１に影響を与えることなく、蓋部２０を閉じた際に十分なクリック感の得られるプリンタ装置が求められている。
【００２２】
〔第１の実施の形態〕
次に、本実施の形態におけるプリンタ装置について、図５から図９に基づき説明する。
【００２３】
本実施の形態におけるプリンタ装置は、図５から図７に示されるように、プリンタ本体部１１０と、プリンタ本体部１１０に取り付けられている蓋部１２０とを有している。蓋部１２０は、不図示の軸を中心に回動可能な状態でプリンタ本体部１１０に取り付けられている。尚、図５は蓋部１２０が開いている状態の断面図であり、図６は蓋部１２０が閉じている状態の断面図である。図７は、蓋部１２０が閉じられている途中の状態であって、図５及び図６とは異なる断面の断面図である。
【００２４】
プリンタ本体部１１０には、記録紙ホルダ１１１、記録紙に印字を行なうためのプリントヘッドであるサーマルヘッド１３０、後述するプラテンローラ１４０を保持するプラテンロック部１５０、フック１６０、固定刃、制御回路基板、モータ等が設けられている。記録紙ホルダ１１１の内部は、落とし込み方式によりロール状に巻かれた記録紙を入れることができるように形成されている。尚、ロール状に巻かれた記録紙は感熱紙である。また、制御回路基板は、プリンタ装置の制御を行なうために設けられており、モータとしては、記録紙を搬送するためのモータ、後述する可動刃を駆動するためのモータが搭載されている。蓋部１２０には、プラテンローラ１４０、引っ掛け部となるシャフト１７０、可動刃等が設けられている。
【００２５】
このようなプリンタ装置では、ロール状に巻かれた記録紙をプリンタ本体部１１０における記録紙ホルダ１１１内に入れ、蓋部１２０を閉じることにより、サーマルヘッド１３０により記録紙に印字が可能な状態となる。また、プリンタ本体部１１０に設けられた固定刃と蓋部１２０に設けられた可動刃とにより、記録紙を切断するためのカッター部が形成される。可動刃が固定刃の設けられている側にスライドして移動することにより、固定刃と可動刃との間に存在している記録紙を切断することができる。
【００２６】
本実施の形態におけるプリンタ装置は、サーマルヘッド１３０とプラテンローラ１４０との間に記録紙が挟まれた状態で、記録紙に印字がなされる。即ち、記録紙は、プラテンローラ１４０が回転することにより搬送され、記録紙が搬送されている状態で、サーマルヘッド１３０により印字がなされる。
【００２７】
本実施の形態におけるプリンタ装置において、蓋部１２０を閉じる際には、図５に示されるように、蓋部１２０が開いている状態から、破線矢印Ｄに示す方向に蓋部１２０を回動させる。尚、図７に示されるように、プラテンロック部１５０は、プラテン軸部１４１が入り込む開口部１５１と、開口部１５１の回転軸１５３から離れた側の縁に形成された突起部１５２とを有している。プラテンロック部１５０は、回転軸１５３を中心に回動可能な状態で取り付けられている。プラテンロック部１５０には、プラテンロック部１５０を回転軸１５３を中心に時計回りに復元力を有する不図示のバネが接続されている。
【００２８】
本実施の形態におけるプリンタ装置においては、図７に示されるようにプリンタ本体部１１０の内側には、フック１６０が設けられている。フック１６０は、蓋部１２０に取り付けられている引っ掛け部となるシャフト１７０が入り込む凹部１６１を有しており、凹部１６１よりも蓋部１２０側には傾斜部１６２が形成されている。フック１６０は回転軸１６３を中心に回動可能な状態で、プリンタ本体部１１０に接続されており、フック１６０とプリンタ本体部１１０との間には、コイルバネ１８０が設けられている。コイルバネ１８０は、コイルバネ１８０の一方の端部１８０ａがフック１６０に接続されており、他方の端部１８０ｂはプリンタ本体部１１０に接続されている。コイルバネ１８０の一方の端部１８０ａは、フック１６０の回転軸１６３と凹部１６１との間の部分に接続されており、コイルバネ１８０により、フック１６０が回転軸１６３を中心に時計回りに回動する方向に復元力が働いている。
【００２９】
図７に示される状態より、蓋部１２０を閉じることにより、図８に示される状態となり、図９（ａ）にも示されるように、シャフト１７０は、フック１６０における傾斜部１６２と接する。尚、この状態においては、プラテンローラ１４０のプラテン軸部１４１は、プラテンロック部１５０には接触してはいない。
【００３０】
この後、更に蓋部１２０を閉じることにより、図９（ｂ）に示されるように、蓋部１２０に取り付けられているシャフト１７０により、フック１６０は、コイルバネ１８０の復元力に抗して押され、破線矢印Ｅに示される方向、即ち、回転軸１６３を中心に反時計回りに回動する。この際、シャフト１７０は、フック１６０の傾斜部１６２に沿って移動し、図９（ｂ）に示されるように、傾斜部１６２の端となる傾斜部１６２と凹部１６１との間の位置まで移動する。尚、蓋部１２０が閉じられる過程では、この状態が、コイルバネ１８０の復元力が最も強くなる。
【００３１】
この後、更に蓋部１２０を閉じることにより、図９（ｃ）に示されるように、シャフト１７０は、フック１６０の傾斜部１６２から離れ、凹部１６１の入り口の前に移動する。これにより、フック１６０は、コイルバネ１８０の復元力により、破線矢印Ｆに示される方向、即ち、回転軸１６３を中心に時計回りに回動する。具体的には、図９（ｄ）及び図１０に示されるように、凹部１６１の奥の部分とシャフト１７０とが接触するまで回動する。本実施の形態におけるプリンタ装置においては、この際に、強いクリック感を得ることができる。尚、図９（ｄ）及び図１０に示される状態においては、シャフト１７０がフック１６０の凹部１６１内に入り込むとともに、プラテンローラ１４０のプラテン軸部１４１がプラテンロック部１５０の開口部１５１に入り込み、プラテンローラ１４０のプラテン軸部１４１は、プラテンロック部１５０により保持される。尚、シャフト１７０がフック１６０の凹部１６１内に入る際には、確実にプラテン軸部１４１がプラテンロック部１５０により保持されるように、フック１６０の凹部１６１の幅はシャフト１７０の太さよりも広く形成されている。
【００３２】
シャフト１７０は、プラテンローラ１４０のように記録紙の搬送等には用いられないため、フック１６０の傾斜部１６２を強い力で押しても、印字の際に支障が生じることがない。よって、コイルバネ１８０の復元力を強くすることができ、クリック感の強さを所望の強さに調節することができる。
【００３３】
上記においては、引張コイルバネであるコイルバネ１８０が、フック１６０の上部に設けられている場合について説明したが、図１１に示されるように、フック１６０の下部に、圧縮コイルバネであるコイルバネ１８１が設けられているものであってもよい。この場合にも、コイルバネ１８１による復元力は、フック１６０が回転軸１６３を中心に時計回りの方向に働く。尚、図１１において、破線で示されるフック１６０は、シャフト１７０により押され回動した場合の状態を示している。
【００３４】
また、本実施の形態におけるプリンタ装置は、図１２に示されるように、コイルバネ１８１に代えて、板バネ１８２が設けられているものであってもよい。この場合においても、板バネ１８２による復元力は、フック１６０が回転軸１６３を中心に時計回りの方向に働いている。尚、図１２において、破線で示されるフック１６０は、シャフト１７０により押され回動した場合の状態を示している。
【００３５】
また、本実施の形態におけるプリンタ装置は、図１３に示されるように、引っ掛け部となるシャフト１７０に代えて、突起状のフック引っ掛け部１７１が形成されているものであってもよい。尚、図１３（ｂ）は、図１３（ａ）における破線矢印Ｇより、フック引っ掛け部１７１を見た図である。引っ掛け部がフック引っ掛け部１７１の場合においても、シャフト１７０の場合と同様の効果を得ることができる。
【００３６】
〔第２の実施の形態〕
次に、第２の実施の形態におけるプリンタ装置について説明する。本実施の形態におけるプリンタ装置は、図１４に示されるようにプリンタ本体部１１０の内側に、板バネフック２６０が設けられている構造のものである。本実施の形態における板バネフック２６０は、第１の実施の形態におけるフック１６０と、コイルバネ１８０等の機能を併せ持つものであり、フックがバネ性を有する材料により形成されている。よって、本実施の形態においては、コイルバネ１８０等は用いられていない。板バネフック２６０は、蓋部１２０に取り付けられている引っ掛け部となるシャフト１７０が入り込む凹部２６１を有しており、凹部２６１よりも蓋部１２０側には傾斜部２６２が形成されている。板バネフック２６０は支持部２６３において、プリンタ本体部１１０に固定されている。
【００３７】
図１４に示される状態より、蓋部１２０を閉じることにより、図１５に示される状態となり、図１６（ａ）にも示されるように、シャフト１７０は、板バネフック２６０における傾斜部２６２と接する。尚、この状態においては、プラテンローラ１４０のプラテン軸部１４１は、プラテンロック部１５０には接触してはいない。
【００３８】
この後、更に蓋部１２０を閉じることにより、図１６（ｂ）に示されるように、蓋部１２０に取り付けられているシャフト１７０により、板バネフック２６０の復元力に抗して板バネフック２６０が押され、板バネフック２６０が撓む。この際、シャフト１７０は、板バネフック２６０の傾斜部２６２に沿って移動し、図１６（ｂ）に示されるように、傾斜部２６２の端となる傾斜部２６２と凹部２６１との間の位置まで移動する。尚、蓋部１２０が閉じられる過程では、この状態が、板バネフック２６０の復元力が最も強くなる。
【００３９】
この後、更に蓋部１２０を閉じることにより、図１６（ｃ）に示されるように、シャフト１７０は、板バネフック２６０の傾斜部２６２から離れ、凹部２６１の入り口の前に移動する。これにより、板バネフック２６０は、自身の復元力により元の状態に戻り、図１６（ｄ）及び図１７に示されるように、凹部２６１の奥の部分とシャフト１７０とが接触する。本実施の形態におけるプリンタ装置においては、この際に、強いクリック感を得ることができる。尚、図１６（ｄ）及び図１７に示される状態においては、シャフト１７０が板バネフック２６０の凹部２６１内に入り込むとともに、プラテンローラ１４０のプラテン軸部１４１がプラテンロック部１５０の開口部１５１に入り込み、プラテンローラ１４０のプラテン軸部１４１は、プラテンロック部１５０により保持される。
【００４０】
シャフト１７０は、プラテンローラ１４０のように記録紙の搬送等には用いられないため、板バネフック２６０の傾斜部２６２を強い力で押しても、印字の際に支障が生じることがない。よって、板バネフック２６０のバネ性を強くすることができ、クリック感の強さを所望の強さに調節することができる。
【００４１】
尚、上記以外の内容については、第１の実施の形態と同様である。
【００４２】
〔第３の実施の形態〕
次に、第３の実施の形態について説明する。本実施の形態におけるプリンタ装置は、図１８に示されるように、プリンタ本体部１１０の内側に取り付けられたフック３６０と、蓋部１２０に取り付けられた引っ掛け部となるシャフト３７０とを有している。フック３６０は、プリンタ本体部１１０に固定されており、蓋部１２０に取り付けられているシャフト３７０が入り込む凹部３６１を有しており、凹部３６１よりも蓋部１２０側には傾斜部３６２が形成されている。
【００４３】
シャフト３７０と蓋部１２０との間には、コイルバネ３８０が設けられており、シャフト３７０の一部は、蓋部１２０に設けられた長円状の溝部３９０の内部に入れられ、溝部３９０の内部を移動することができるように形成されている。コイルバネ３８０は、コイルバネ３８０の一方の端部３８０ａがシャフト３７０に接続されており、他方の端部３８０ｂは蓋部１２０に接続されている。コイルバネ３８０の復元力は、シャフト３７０が、溝部３９０の下に引っ張られる方向に働いている。
【００４４】
図１８に示される状態より、蓋部１２０を閉じることにより、図１９に示される状態となり、図２０（ａ）にも示されるように、シャフト３７０は、フック３６０における傾斜部３６２と接する。尚、この状態においては、プラテンローラ１４０のプラテン軸部１４１は、プラテンロック部１５０には接触してはいない。
【００４５】
この後、更に蓋部１２０を閉じることにより、図２０（ｂ）に示されるように、蓋部１２０に取り付けられているシャフト３７０は、コイルバネ３８０の復元力に抗してフック３６０により押され、溝部３９０内を上方向に移動する。この際、シャフト３７０は、フック３６０の傾斜部３６２に沿って移動し、図２０（ｂ）に示されるように、傾斜部３６２の端となる傾斜部３６２と凹部３６１との間の位置まで移動する。尚、蓋部１２０が閉じられる過程では、この状態が、コイルバネ３８０の復元力が最も強くなる。
【００４６】
この後、更に蓋部１２０を閉じることにより、図２０（ｃ）に示されるように、シャフト３７０は、フック３６０の傾斜部３６２から離れ、凹部３６１の入り口の前に移動する。これにより、シャフト３７０は、コイルバネ３８０の復元力により、溝部３９０内を下方向に移動し、図２０（ｄ）及び図２１に示されるように、フック３６０の凹部３６１の奥の部分とシャフト３７０とが接触する。本実施の形態におけるプリンタ装置においては、この際に、強いクリック感を得ることができる。尚、図２０（ｄ）及び図２１に示される状態においては、シャフト３７０がフック３６０の凹部３６１内に入り込むとともに、プラテンローラ１４０のプラテン軸部１４１がプラテンロック部１５０の開口部１５１に入り込み、プラテンローラ１４０のプラテン軸部１４１は、プラテンロック部１５０により保持される。
【００４７】
シャフト３７０は、プラテンローラ１４０のように記録紙の搬送等には用いられないため、フック３６０の傾斜部３６２を強い力で押しても、印字の際に支障が生じることがない。よって、コイルバネ３８０の復元力を強くすることができ、クリック感の強さを所望の強さに調節することができる。
【００４８】
尚、上記以外の内容については、第１の実施の形態と同様である。
【００４９】
〔第４の実施の形態〕
次に、第４の実施の形態について説明する。本実施の形態におけるプリンタ装置は、図２２に示されるように、プリンタ本体部１１０に取り付けられたシャフト４７０と、蓋部１２０に取り付けられたフック４６０とを有している。シャフト４７０は、プリンタ本体部１１０に固定されており、プリンタ本体部１１０の内側に取り付けられている引っ掛け部となるシャフト４７０が入り込む凹部４６１を有しており、凹部４６１よりもシャフト４７０が設けられている側には傾斜部４６２が形成されている。
【００５０】
フック４６０と蓋部１２０との間には、コイルバネ４８０が設けられている。コイルバネ４８０は、コイルバネ４８０の一方の端部４８０ａがフック４６０に接続されており、他方の端部４８０ｂは蓋部１２０に接続されている。また、フック４６０は、蓋部１２０において、上下方向に移動することができるように取り付けられており、フック４６０には、コイルバネ４８０の復元力が、フック４６０を上に押す方向に働いている。
【００５１】
図２２に示される状態より、蓋部１２０を閉じることにより、図２３に示される状態となり、図２４（ａ）にも示されるように、シャフト４７０は、フック４６０における傾斜部４６２と接する。尚、この状態においては、プラテンローラ１４０のプラテン軸部１４１は、プラテンロック部１５０には接触してはいない。
【００５２】
この後、更に蓋部１２０を閉じることにより、図２４（ｂ）に示されるように、蓋部１２０に取り付けられているフック４６０が、コイルバネ４８０の復元力に抗してシャフト４７０により押され、フック４６０は、下方向に移動する。この際、フック４６０の傾斜部４６２は、シャフト４７０に沿って移動し、図２４（ｂ）に示されるように、フック４６０における傾斜部４６２の端となる傾斜部４６２と凹部４６１との間の位置まで移動する。尚、蓋部１２０が閉じられる過程では、この状態が、コイルバネ４８０の復元力が最も強くなる。
【００５３】
この後、更に蓋部１２０を閉じることにより、図２４（ｃ）に示されるように、シャフト４７０は、フック４６０の傾斜部４６２から離れ、凹部４６１の入り口の前に移動する。これにより、フック４６０は、コイルバネ４８０の復元力により、上方向に移動し、図２４（ｄ）及び図２５に示されるように、フック４６０の凹部４６１の奥の部分とシャフト４７０とが接触する。本実施の形態におけるプリンタ装置においては、この際に、強いクリック感を得ることができる。尚、図２４（ｄ）及び図２５に示される状態においては、シャフト４７０がフック４６０の凹部４６１内に入り込むとともに、プラテンローラ１４０のプラテン軸部１４１がプラテンロック部１５０の開口部１５１に入り込み、プラテンローラ１４０のプラテン軸部１４１は、プラテンロック部１５０により保持される。
【００５４】
シャフト４７０は、プラテンローラ１４０のように記録紙の搬送等には用いられないため、フック４６０の傾斜部４６２を強い力で押しても、印字の際に支障が生じることがない。よって、コイルバネ４８０の復元力を強くすることができ、クリック感の強さを所望の強さに調節することができる。
【００５５】
尚、上記以外の内容については、第１の実施の形態と同様である。
【００５６】
〔第５の実施の形態〕
次に、第５の実施の形態について説明する。本実施の形態におけるプリンタ装置は、図２６に示されるように、プリンタ本体部１１０に取り付けられたフック５６０と、蓋部１２０に取り付けられた引っ掛け部となるシャフト５７０とを有している。尚、図２６（ａ）は、プラテンローラ１４０の長手方向に垂直な断面における断面図であり、図２６（ｂ）は、プラテンローラ１４０の長手方向に平行な断面における断面図である。
【００５７】
フック５６０は、プリンタ本体部１１０の内側の両側の側面に設けられており、蓋部１２０に取り付けられているシャフト５７０が入り込む凹部５６１を有しており、凹部５６１よりも蓋部１２０側には傾斜部５６２が形成されている。フック５６０は回転軸５６３を中心に回動可能な状態で、プリンタ本体部１１０に接続されており、フック５６０とプリンタ本体部１１０との間には、コイルバネ５８０が設けられている。コイルバネ５８０は、コイルバネ５８０の一方の端部５８０ａがフック５６０に接続されており、他方の端部５８０ｂはプリンタ本体部１１０に接続されている。コイルバネ５８０の復元力は、相互のフック５６０の傾斜部５６２の間隔が狭くなる方向に、回転軸５６３を中心に回動するように働いている。
【００５８】
図２６に示される状態より、蓋部１２０を閉じることにより、図２７（ａ）に示されるように、シャフト５７０は、フック５６０における傾斜部５６２と接触する。
【００５９】
この後、更に蓋部１２０を閉じることにより、図２７（ｂ）に示されるように、蓋部１２０に取り付けられているシャフト５７０により、コイルバネ５８０の復元力に抗してフック５６０が押され、フック５６０は、破線矢印Ｈに示されるように、相互の傾斜部５６２が離れる方向に、回転軸５６３を中心に回動する。この際、フック５６０の傾斜部５６２は、シャフト５７０に沿って移動し、図２７（ｂ）に示されるように、傾斜部５６２の端となる傾斜部５６２と凹部５６１との間の位置まで移動する。尚、蓋部１２０が閉じられる過程では、この状態が、コイルバネ５８０の復元力が最も強くなる。
【００６０】
この後、更に蓋部１２０を閉じることにより、図２７（ｃ）に示されるように、シャフト５７０は、フック５６０の傾斜部５６２から離れ、凹部５６１の入り口の前に移動する。これにより、フック５６０は、コイルバネ５８０の復元力により、破線矢印Ｉに示されるように、相互の傾斜部５６２が近づく方向に、回転軸５６３を中心に回動し、図２７（ｄ）及び図２８に示されるように、凹部５６１の奥の部分とシャフト５７０とが接触するまで回動する。本実施の形態におけるプリンタ装置においては、この際に、強いクリック感を得ることができる。尚、図２７（ｄ）及び図２８に示される状態においては、シャフト５７０がフック５６０の凹部５６１内に入り込むとともに、プラテンローラ１４０のプラテン軸部１４１がプラテンロック部１５０の開口部１５１に入り込み、プラテンローラ１４０のプラテン軸部１４１は、プラテンロック部１５０により保持される。尚、図２８（ａ）は、プラテンローラ１４０の長手方向に垂直な断面における断面図であり、図２８（ｂ）は、プラテンローラ１４０の長手方向に平行な断面における断面図である。
【００６１】
シャフト５７０は、プラテンローラ１４０のように記録紙の搬送等には用いられないため、フック５６０の傾斜部５６２を強い力で押しても、印字の際に支障が生じることがない。よって、コイルバネ５８０の復元力を強くすることができ、クリック感の強さを所望の強さに調節することができる。
【００６２】
尚、上記以外の内容については、第１の実施の形態と同様である。
【００６３】
以上、本発明の実施に係る形態について説明したが、上記内容は、発明の内容を限定するものではない。
【符号の説明】
【００６４】
１１０      プリンタ本体部
１１１      記録紙ホルダ
１２０      蓋部
１３０      サーマルヘッド
１４０      プラテンローラ
１４１      プラテン軸部
１５０      プラテンロック部
１５１      開口部
１５２      突起部
１５３      回転軸
１６０      フック
１６１      凹部
１６２      傾斜部
１６３      回転軸
１７０      シャフト
１８０      コイルバネ
１８０ａ    一方の端部
１８０ｂ    他方の端部
【図１】
2017081129.tif 000003
【図２】
2017081129.tif 000004
【図３】
2017081129.tif 000005
【図４】
2017081129.tif 000006
【図５】
2017081129.tif 000007
【図６】
2017081129.tif 000008
【図７】
2017081129.tif 000009
【図８】
2017081129.tif 000010
【図９】
2017081129.tif 000011
【図１０】
2017081129.tif 000012
【図１１】
2017081129.tif 000013
【図１２】
2017081129.tif 000014
【図１３】
2017081129.tif 000015
【図１４】
2017081129.tif 000016
【図１５】
2017081129.tif 000017
【図１６】
2017081129.tif 000018
【図１７】
2017081129.tif 000019
【図１８】
2017081129.tif 000020
【図１９】
2017081129.tif 000021
【図２０】
2017081129.tif 000022
【図２１】
2017081129.tif 000023
【図２２】
2017081129.tif 000024
【図２３】
2017081129.tif 000025
【図２４】
2017081129.tif 000026
【図２５】
2017081129.tif 000027
【図２６】
2017081129.tif 000028
【図２７】
2017081129.tif 000029
【図２８】
2017081129.tif 000030